(57)【要約】【課題】金融機関の窓口とか市役所，区役所等で利用者が伝票や申請書等の伝票類を操作性良く、かつ、確実に１枚もしくは１組ずつ反復操作可能に取り出すことができる伝票類の収納・繰出ケースを提供することを目的とする。【解決手段】ケース本体１内に収納された伝票類３を適度な力で後方に押圧する上下２段の回転車８を配設し、該ケース本体１内の最前部にある伝票類３を上方に引き抜く際に、伝票類３に接触している上下２段の回転車８，８を連動して回転させて、次段の伝票類３の上端部が上方に突出した状態に自動的にセットされるようにした伝票類の収納・繰出ケースを基本構成とする。【選択図】図１
0003106682.tif 000002
【実用新案登録請求の範囲】
【請求項１】
ケース本体内に収納された伝票類を適度な力で後方に押圧する上下２段の回転車を配設し、該ケース本体内の最前部にある伝票類を上方に引き抜く際に、伝票類に接触している上下２段の回転車を連動させて回転させ、次段の伝票類の上端部が上方に突出した状態に自動的にセットされることを特徴とする伝票類の収納・繰出ケース。
【請求項２】
後壁，底板，前壁とから構成されたケース本体内に、該ケース本体内に収納された伝票類を適度な力で後方に押圧する上下２段の回転車が配設された繰出装置を配置するとともに下端部が繰出装置の一端に固定されて上方に延長する透明板を設け、ケース本体内の最前部にある伝票類を上方に引き抜く際に、伝票類に接触している上下２段の回転車を連動させて回転させ、次段の伝票類の上端部が上方に突出した状態に自動的にセットされることを特徴とする伝票類の収納・繰出ケース。
【請求項３】
上記繰出装置として、左右両端に配設された側壁に上下２段の心棒を固定し、該心棒の端部近傍にそれぞれ回転車を取付けるとともに、各回転車に固定されたスプロケット間に輪状ベルトを張設して上下間の回転車を連動して回転させるようにした請求項１又は２に記載の伝票類の収納・繰出ケース。
【請求項４】
回転車の材質として、適度な摩擦係数を持つゴム材料もしくは軟質な合成樹脂材料を用いた請求項１，２又は３に記載の伝票類の収納・繰出ケース。
【考案の詳細な説明】
【技術分野】
【０００１】
本考案は金融機関の窓口とか市役所，区役所等に配備された各種伝票や申請書等の伝票類を、１枚もしくは１組ずつスムーズに、かつ、反復操作可能に取り出すことができる伝票類の収納・繰出ケースに関するものである。
【背景技術】
【０００２】
従来から金融機関の窓口とか市役所，区役所等では、金銭出納に必要な伝票類とか各種の申請書，請求書，届け出用紙等が記載用台上に配備されている。一般にこれら伝票や申請書等の伝票類は、所定枚数がプラスチック製の箱とかケース内に積層された状態に収納されており、利用者はこれらの伝票類を１枚もしくは１組ずつ取り出して記載台上で必要事項を記入し、所定の手続きを行っている。
【０００３】
近時の金融機関における取引は、その多くがマネーカードを使用した電子媒体が用いられているが、従来の取引の基本は窓口における伝票類を用いた方法であり、特に高齢者はカード等による電子媒体よりも窓口での取引を希望するケースが多い。また、一般の取引者が新規な口座開設申し込みとか印鑑変更等を行う際には、伝票類を使用して窓口で行われるのが一般的である。
【０００４】
一般に上記伝票類の用紙は全体がブロック状になっており、前後左右の各小口が垂直状態になっている。また、ケース内に重ねて収納されている伝票類の用紙の背面と底面又は側面は直角以上の角度を有している。
【０００５】
上記に関して特許文献１には、所定寸法の平面方形の基板の左方端に当該基板とは５０度〜７０度の角度をもって右上方に向けた左傾斜壁が連設されている収納ケースが開示されている。
【０００６】
特許文献２には、前端に出口を有するケースについて、出口から後端面壁に至る大面壁に対して後端面壁を前傾斜に形成し、ケースにそれを後傾斜に保持する支持体を設けた小数枚取出し用収納スタンド例が開示されている。
【０００７】
特許文献３には、斜設した書類背もたれと、この書類背もたれと適当な間隔を持たせ、バネ体により与えられた回転習性により書類背もたれの中下部を押えつける書類押えを軸支するとともに、この書類押えを押し戻させる押レバーを備えた支柱とを基台に立設した書類スタンドが開示されている。
【特許文献１】実用新案登録願第３０３２８０６号
【特許文献２】実開昭６０−１２４８３号公報
【特許文献３】実開昭６２−１０２５８１号公報
【考案の開示】
【考案が解決しようとする課題】
【０００８】
前記したように金融機関の窓口とか市役所，区役所等の記載用台の上に配備されている伝票類は、全体がブロック状に重複しており、前後左右の各小口が垂直状態になっているので、伝票類の用紙の最前又は最上に位置する１枚もしくは１組だけを取出す操作が行い難いという問題がある。
【０００９】
例えば利用者が伝票類及び用紙の１枚もしくは１組だけを取出す操作を行う際に、重複している余剰な伝票類も同時に取り出されてしまうため、操作の都度必要枚数だけ取り出されたことを利用者が確認する手間が必要となる。
【００１０】
前記特許文献１，２，３に記載されている手段は、ケースを傾斜させて形成したり、斜設した書類背もたれ及び書類押えを押し戻させる押レバー及び小数枚取出し用収納スタンドを設けた例が開示されているが、これらの手段は利用者の操作性を高めることができるものの伝票類を１枚もしくは１組ずつスムーズに、かつ、反復操作可能に取り出す機構は備えられていない。
【００１１】
そこで本考案は上記従来から用いられている伝票類の収納構造が有している課題を解消して、利用者が伝票類を操作性良く、かつ、確実に１枚もしくは１組ずつ反復操作可能に取り出すことができる伝票類の収納・繰出ケースを提供することを目的とするものである。
【課題を解決するための手段】
【００１２】
本考案は上記目的を達成するために、ケース本体内に収納された伝票類を適度な力で後方に押圧する上下２段の回転車を配設し、該ケース本体内の最前部にある伝票類を上方に引き抜く際に、伝票類に接触している上下２段の回転車を連動させて回転させ、次段の伝票類の上端部が上方に突出した状態に自動的にセットされるようにした伝票類の収納・繰出ケースを基本構成とする。
【００１３】
具体的には、後壁，底板，前壁とから構成されたケース本体内に、該ケース本体内に収納された伝票類を適度な力で後方に押圧する上下２段の回転車が配設された繰出装置を配置するとともに下端部が繰出装置の一端に固定されて上方に延長する透明板を設け、ケース本体内の最前部にある伝票類を上方に引き抜く際に、伝票類に接触している上下２段の回転車を連動させて回転させ、次段の伝票類の上端部が上方に突出した状態に自動的にセットされる。
【００１４】
上記繰出装置として、左右両端に配設された側壁に上下２段の心棒を固定し、該心棒の端部近傍にそれぞれ回転車を取付けるとともに、各回転車に固定されたスプロケット間に輪状ベルトを張設して上下間の回転車を連動して回転させるようにしてある。また、回転車の材質として、適度な摩擦係数を持つゴム材料もしくは軟質な合成樹脂材料を用いる。
【考案の効果】
【００１５】
本考案によれば、ケース本体内に収納されている伝票類の１枚もしくは１組だけをスムーズに、かつ、反復操作可能に取り出すことができるとともに重複している余剰な伝票類を取り出すこともなくなり、金融機関の窓口とか市役所，区役所等の記載用台を利用して行う作業の操作性を高めることが可能となる。特に高齢者のようにマネーカード等による電子媒体を用いる手段が苦手な使用者にとって有効であり、一般の取引者の場合でも窓口を利用して新規な口座開設申し込みとか印鑑変更等を行う際に利用して有用である。
【００１６】
従って本考案によれば、従来から一般に用いられている伝票類の収納構造を改良して、利用者が伝票類及び用紙を操作性良く、かつ、確実に１枚もしくは１組ずつ反復操作可能に取り出すことができる伝票類の収納・繰出ケースを提供することができる。
【考案を実施するための最良の形態】
【００１７】
以下図面に基づいて本考案にかかる伝票類の収納・繰出ケースの最良の実施形態を説明する。本考案ではケース本体内に収納された伝票類を適度な力で後方に押圧する上下２段の回転車を配設し、該ケース本体内の最前部にある伝票類を上方に引き抜く際に、伝票類に接触している上下２段の回転車を連動させて回転させ、次段の伝票類の上端部が上方に突出した状態に自動的にセットされるようにした伝票類の収納・繰出ケースを基本構成としている。
【００１８】
図１は本考案にかかる伝票類の収納・繰出ケースを示す側断面図、図２は同一部断面正面図である。図において１はケース本体であって、該ケース本体１は後壁１ａ，底板１ｂ，前壁１ｃとから構成されている。後壁１ａの全高Ａは、前壁１ｃの全高Ｂの２倍程度となっている。３はケース本体１内に所定枚数収納された各種伝票や申請書等の伝票類を示しいる。
【００１９】
２は伝票類の繰出装置であり、この繰出装置２は断面略コ字状に形成され、後壁２ａ，底板２ｂ，前壁２ｃ，上板２ｄとから構成されており、底板２ｂの中央部の幅方向に突設された凸部２ｅがケース本体１の前壁１ｃ近傍に位置する底板１ｂに穿設された凹部１ｄに嵌合されて固定されている。そして、４は透明板であり、この透明板４の下端部が繰出装置２の後壁２ａに形成された溝部に挿入されて上方に延長している。透明板４の上端中央部には図２に示したように半円形の切欠部５が形成されている。また、前壁１ｃは中央部分が上方に盛り上がる山形に形成されている。
【００２０】
繰出装置２の構成を説明すると、左右両端に配設された側壁２ｆ，２ｇに上下２段の心棒７，７が回転可能に軸支されており、この心棒７，７の端部近傍にそれぞれ回転車８を取付け、合計４個の回転車８，８が配設されている。各回転車８，８にはスプロケット９，９が固定されており、上下間の回転車８，８の各スプロケット９，９間に輪状ベルト１０，１０が張設されている。回転車８，８の材質としては、適度な摩擦係数をもつゴム材料もしくは軟質な合成樹脂材料が適当である。この回転車８，８には、伝票類３を適度な力で後方に押圧する弾性力が付与されている。上下間の回転車８，８間の距離は２ｃｍ程度が適当である。
【００２１】
かかる構成による伝票類の収納・繰出装置の使用時の動作態様を説明する。即ち、金融機関等の窓口に配備された記載台上にケース本体１を配置し、図１に示したように後壁１ａと繰出装置２との間に伝票類３を収納する。この時に最前部に位置する１枚もしくは１組の伝票類３の上端部３ａが透明板４の上端部よりも更に上方に突出するか、もしくは伝票類３の上端部３ａが少なくとも透明板４の上端中央部に形成された半円形の切欠部５内にあるようにセットする。
【００２２】
そこで利用者は上記切欠部５を利用してケース本体１内の最前部にある伝票類３の上端部３ａを手で把持し、１枚もしくは１組の伝票類３を上方に引き上げる。すると回転車８，８に付与された弾性力によって伝票類３に接触している上方の回転車８が回転し、この回転力が各スプロケット９，９間に張設された輪状ベルト１０，１０により下方の回転車８に伝達されて、下方の回転車８が連動して同時に回転する。
【００２３】
この下方の回転車８の回転に伴い、次段の伝票類３が所定長だけ上方に引き上げられるで、利用者が最前部にある伝票類３を引き抜く動作と同期して、次段の１枚もしくは１組の伝票類３の上端部３ａは透明板４の上端部よりも更に上方に突出するか、もしくは少なくとも半円形の切欠部５内にある状態に自動的にセットされる。
【００２４】
次の利用者が同様にして次段の１枚もしくは１組の伝票類３の上端部を手で把持し、上方に引き抜くことによって次の段の伝票類３が所定長だけ上方に引き上げられ、該伝票類３の上端部３ａが透明板４の上端部よりも更に上方に突出するか、もしくは少なくとも半円形の切欠部５内にあるように自動的に再度セットされるので、利用者は順次１枚もしくは１組の伝票類３をスムーズに、かつ、反復操作可能に取り出すことができる。
【００２５】
図３は本考案の好ましい使用形態を示しており、記載台６の所定位置に適度な傾斜角度を有する凹部６ａを掘削形成しておき、該凹部６ａ内に本考案にかかる伝票類の収納・繰出装置のケース本体１を配置してある。かかる使用形態によれば、利用者が透明板４の上から伝票類３の種類を確認しやすく、かつ、１枚もしくは１組の伝票類３を引き抜く操作性を高めることができる。尚、伝票類３の引き抜き時における使用時の動作態様は上記の説明と同一である。
【産業上の利用可能性】
【００２６】
以上説明したように、本考案によればケース本体内に収納されている伝票類とか各種用紙の１枚もしくは１組だけをスムーズに、かつ、反復操作可能に取り出すことができるとともに重複している余剰な伝票類を取り出すこともないので、金融機関の窓口とか市役所，区役所等の記載用台に配備することで作業の操作性を高めることができる。
【図面の簡単な説明】
【００２７】
【図１】本考案にかかる伝票類の収納・繰出ケースを示す側断面図。
【図２】図１の一部断面正面図。
【図３】本考案の好ましい使用形態を示す側断面図。
【符号の説明】
【００２８】
１…ケース本体
１ａ…後壁
１ｂ…底板
１ｃ…前壁
１ｄ…凹部
２…繰出装置
２ａ…後壁
２ｂ…底板
２ｃ…前壁
２ｄ…上板
２ｅ…凸部
２ｆ，２ｇ…側壁
３…伝票類
４…透明板
５…切欠部
６…記載台
７…心棒
８…回転車
９…スプロケット
１０…輪状ベルト
【図１】
0003106682.tif 000003
【図２】
0003106682.tif 000004
【図３】
0003106682.tif 000005